(57)【特許請求の範囲】
【請求項１】
設置面に設置される照明器具であって、
光を放射する光源部と、
該光源部からの光を前記設置面から離隔する方向に反射させる反射面部と、を備え、
前記反射面部は、前記設置面から離隔した頂部と、前記頂部に近付くに従って前記設置面に対する勾配が急勾配となるような勾配面と、を有し
前記光源部は、その光軸が前記設置面に対して直交するように設置され、
前記光源部からの光を前記反射面部に向けて反射させる第１反射手段と、
前記光源部が放射する光を、前記光源部の前記反射面部とは反対側に反射させる第２反射手段と、をさらに備え、
前記第２反射手段は、前記第１反射手段よりも前記設置面側に設けられていることを特徴とする照明器具。
【請求項２】
前記頂部が、曲線状又は直線状に連続形成された稜線から構成されていることを特徴とする請求項１に記載の照明器具。
【請求項３】
前記稜線が複数設けられ、
前記複数の稜線のうち、前記反射面部における前記光源部から離れた場所に位置する前記稜線の頂部が、前記光源部に近い場所に位置する前記稜線の頂部よりも、前記設置面から離隔した位置に設けられていることを特徴とする請求項２に記載の照明器具。
【請求項４】
前記光源部が、長尺状の基板と該基板に設置される複数の光源とを有して構成され、
前記複数の光源が、個別或いはブロック毎に点滅制御可能に構成されていることを特徴とする請求項１乃至請求項３のうち何れか一項に記載の照明器具。
【発明の詳細な説明】
【技術分野】
【０００１】
本発明は、照明器具に関する。
【背景技術】
【０００２】
従来、底板部と、この底板部に垂直に折れ曲がった側板部と、を有する蓋状のクリアカバーと、側板部に対向するとともに当該側板部と反対側に光を放射するように設けられたＬＥＤを含むＬＥＤアッセンブリ保持部と、底板部と対向する位置に設けられてＬＥＤアッセンブリ保持部からの光をクリアカバーの底板部に向けて反射させるバックフレームと、を備えた照明装置が提案されている（例えば、特許文献１参照）。
【０００３】
特許文献１に開示された照明装置において、ＬＥＤアッセンブリ保持部は、複数個のＬＥＤと、複数個のＬＥＤが列設されて実装されるＬＥＤ基板と、ＬＥＤからの光を底板部と略平行な平行光に変換するＬＥＤコリメータと、を備えて構成されている。バックフレームは、側板部から離れるに従って底板部に近づくように傾斜する反射面を有している。このような照明装置にあっては、ＬＥＤコリメータによって平行光に変換された光がバックフレームの反射面に反射され、クリアカバーの底板部において略均等に入光されるように構成されている。
【先行技術文献】
【特許文献】
【０００４】
【特許文献１】ＷＯ２０１０／００１４Ａ４  Ａ１
【発明の概要】
【発明が解決しようとする課題】
【０００５】
特許文献１に記載されたような照明装置にあっては、バックフレームの反射面に反射された光が、クリアカバーの底板部において配光むらが生じないように構成されている。即ち、クリアカバーの底板部は、照度が略均一な面光源となるように構成されている。しかしながら、照明装置に、照明機能だけでなく装飾性を付与することで、空間に彩りを与えたいという要望がある。
【０００６】
本発明の目的は、装飾性の向上を図った照明器具を提供することにある。
【課題を解決するための手段】
【０００７】
上記目的を解決するために本発明は以下の構成を備える。
即ち、請求項１に記載の本発明は、設置面に設置される照明器具であって、光を放射する光源部と、該光源部からの光を前記設置面から離隔する方向に反射させる反射面部と、を備え、前記反射面部は、前記設置面から離隔した頂部と、前記頂部に近付くに従って前記設置面に対する勾配が急勾配となるような勾配面と、を有し、前記光源部は、その光軸が前記設置面に対して直交するように設置され、前記光源部からの光を前記反射面部に向けて反射させる第１反射手段と、前記光源部が放射する光を、前記光源部の前記反射面部とは反対側に反射させる第２反射手段と、をさらに備え、前記第２反射手段は、前記第１反射手段よりも前記設置面側に設けられている。
【０００８】
請求項２記載の本発明は、請求項１に記載の本発明において、前記頂部が、曲線状又は直線状に連続形成された稜線から構成されていることを特徴とする。
【０００９】
請求項３記載の本発明は、請求項２に記載の本発明において、前記稜線が複数設けられ、前記複数の稜線のうち、前記反射面部における前記光源部から離れた場所に位置する前記稜線の頂部が、前記光源部に近い場所に位置する前記稜線の頂部よりも、前記設置面から離隔した位置に設けられていることを特徴とする。
【００１０】
請求項４記載の本発明は、請求項１乃至請求項３のうち何れか一項に記載の本発明において、前記光源部が、長尺状の基板と該基板に設置される複数の光源とを有して構成され、  前記複数の光源が、個別或いはブロック毎に点滅制御可能に構成されていることを特徴とする。
【発明の効果】
【００１４】
請求項１に記載の本発明によれば、反射面部は、設置面から離隔した頂部と、頂部に近付くに従って設置面に対する勾配が急勾配となるような勾配面を有して構成されていることで、反射面部における頂部近傍部には他の部分よりも多くの量の光が受光され、よって、多くの量の光が設置面から離隔する方向に反射されることとなり、頂部近傍部が他の部分よりも明るいと視認される。つまり、反射面部のうち頂部近傍部と他の部分とに明暗差が生じる。この明暗差、即ち陰影により、照明器具に装飾性を付与することができ、当該照明器具が取り付けられた空間に彩りを与えることができる。即ち、装飾性の向上を図った照明器具を提供することができる。
また、光源部は、その光軸が設置面に対して直交するように設置され、光源部からの光を反射面部に向けて反射させる第１反射手段を備えている。これにより、例えば、光源部を、その光軸が設置面に平行になるように、基板を縦置きした場合よりも、設置面に直交する方向の小型化、即ち薄型化を図ることができる。従って、照明器具に装飾性を付与しつつ、薄型化を図ることができる。
また、光源部が放射する光を、光源部の反射面部とは反対側に反射させる第２反射手段を備えている。第２反射手段により、光源部が放射する光を、光源部の反射面部とは反対側の設置面に向けて放射させることで、設置面が照射されることとなり、この設置面（例えば、壁面や天井面）を利用した間接照明を構成することができる。従って、照明器具に装飾性を付与しつつ、空間内の明るさを確保することができる。
また、第２反射手段は、第１反射手段よりも前記設置面側に設けられている。これにより、設置面に直交する方向の小型化、即ち薄型化を図ることができる。従って、照明器具に装飾性を付与しつつ、薄型化を図ることができるとともに、空間の明るさを確保することができる。
【００１５】
請求項２に記載の本発明によれば、頂部が、曲線状又は直線状に連続形成された稜線から構成されていることで、反射面部のうち、明るいと視認される部分が稜線に沿って設けられることとなる。よって、より一層、照明器具に装飾性を付与することができる。
【００１６】
請求項３に記載の本発明によれば、稜線が複数設けられ、複数の稜線のうち、反射面部における光源部から離れた場所に位置する稜線の頂部が、光源部に近い場所に位置する稜線の頂部よりも、設置面から離隔した位置に設けられている。これにより、反射面部に生じる明暗差のうち、明るいと視認される部分が、稜線の頂部に沿って複数箇所に設けられ、このような明暗差により、反射面部に奥行き感が演出されることとなる。よって、より一層、照明器具に装飾性を付与することができる。
【００１７】
請求項４に記載の本発明によれば、光源部が、長尺状の基板と該基板に設置される複数の光源とを有して構成され、複数の光源が、個別或いはブロック毎に点滅制御可能に構成されていることで、複数の光源に動きが加わることとなる。このような照明器具により、癒しや安らぎ、華やかな空間を創作することができる。従って、より一層、照明器具に装飾性を付与することができる。
【図面の簡単な説明】
【００２１】
【図１】本発明の第１実施形態にかかる照明器具を示す斜視図である。
【図２】（Ａ）は、図１に示された照明器具を示す平面図であり、（Ｂ）は、（Ａ）中のＩ−Ｉ線に沿う断面図である。
【図３】（Ａ）は、本発明の第２実施形態にかかる照明器具を模式的に示す斜視図であり、（Ｂ）は、（Ａ）を上方から見た平面図である。
【図４】（Ａ）（Ｂ）は、図３に示された照明器具の変形例の動作を示す斜視図である。
【図５】本発明の第３実施形態にかかる照明器具を模式的に示す斜視図である。
【発明を実施するための形態】
【００２２】
（第１実施形態）
以下、本発明の例示的一態様である第１実施形態にかかる照明器具を、図１、２を参照して説明する。図１は、本発明の第１実施形態にかかる照明器具を示す斜視図である。図２において、（Ａ）は、図１に示された照明器具を示す平面図であり、（Ｂ）は、（Ａ）中のＩ−Ｉ線に沿う断面図である。
【００２３】
図１に示すように、照明器具１は、壁面Ｆ（設置面）に設置される正方形板状のベース２と、このベース２に取り付けられる光源部３と、光源部３からの光を壁面Ｆから離隔する前方（矢印Ｚ方向）に反射させる反射面部としての装飾板４１を有する反射部４と、枠状に形成されてベース２との間に反射部４を挟んで支持する枠状のフレーム５と、を備えて構成されている。
【００２４】
なお、図１、２において、矢印Ｙ、矢印Ｘ、矢印Ｚは互いに直交する方向であり、図１、図２（Ａ）に示すように、ベース２における紙面と平行な縦方向を矢印Ｙで示し、ベース２における紙面と平行な横方向を矢印Ｘで示し、紙面に垂直な方向であるとともに、壁面Ｆから離隔する方向を矢印Ｚで示す。この矢印Ｚ方向は、本実施形態では、空間における水平方向の内方を示すものであるとともに、ベース２の厚さ方向を示している。
【００２５】
ベース２は、図２（Ａ）（Ｂ）に示すように、壁面Ｆに対向配置される正方形板状の底板部２１と、この底板部２１の周縁から立設した側板部２２と、を有して受け皿状に構成されている。底板部２１には、光源部３が壁面Ｆとは反対側の面に取り付けられている。底板部２１の中央部には、光源部３に電源供給をするために開口した開口部２３と、この開口部２３の周縁に形成されて壁面Ｆに設けられた図示しない係止受け部を係止する係止部２４と、が設けられている。側板部２２には、壁面Ｆを照射するために光源部３からの光を通過させる第１スリット２２ａが形成されている。
【００２６】
光源部３は、一対の光源部３Ａ、３Ｂを有して構成されている。一対の光源部３Ａ，３Ｂは、長方形板状の一対の基板３１、３１と、一対の基板３１、３１それぞれに実装される複数のＬＥＤ３２（光源）と、ＬＥＤ３２が放射する光を装飾板４１に向けて反射させる第１ミラー３３（第１反射手段）と、ＬＥＤ３２が放射する光を壁面Ｆに向けて反射させる第２ミラー３４（第２反射手段）と、を備えて構成されている。一対の基板３１、３１は、ベース２の矢印Ｘ方向の両端部に配置されているとともに、各基板３１は、その長手方向が矢印Ｙ方向に沿い、幅方向が矢印Ｘ方向に沿うように配置されている。各基板３１には、複数のＬＥＤ３２が矢印Ｙ方向に等間隔をあけて並んで実装されているとともに、各ＬＥＤ３２が前方を向くように配置されている。このように本実施形態では、ＬＥＤ３２の光軸方向が、壁面Ｆ（設置面）に対して直交する方向（矢印Ｚ方向）となるように設けられている。また、以下では、一対の光源部３Ａ、３Ｂのうち、矢印Ｘ方向の一方側の光源部を「第１光源部３Ａ」と記し、他方側の光源部を「第２光源部３Ｂ」と記すことがある。本実施形態において、各基板３１は、複数のＬＥＤ３２が、点灯、消灯制御可能に構成されている。
【００２７】
第１ミラー３３は、反射部４の縁端に位置する後述の枠状部４３において、各光源部３Ａ、３ＢのＬＥＤ３２と対向する面に形成されている。また、第１ミラー３３は、各光源部３Ａ、３Ｂから放射された光を装飾板４１に向けて反射させる角度となるように、矢印Ｘ方向の外側に向かうに従って、壁面Ｆ側に向かうように傾斜して形成されている。このような第１ミラー３３が形成されていることにより、照明器具１の壁面Ｆ（設置面）に直交する方向（矢印Ｚ方向）の小型化、即ち薄型化を図ることができる。
【００２８】
第２ミラー３４は、ＬＥＤ３２よりも矢印Ｘ方向の内側に設けられているとともに、第１ミラー３３よりも壁面Ｆ側に設けられている。この第２ミラー３４は、矢印Ｘ方向の外側に従って壁面Ｆから離隔する方向（矢印Ｚ方向）に傾斜して設けられているとともに、各ＬＥＤ３２から放射された光を光源部３の装飾板４１とは反対側の壁面Ｆに向けて反射させる角度となるように構成されている。
【００２９】
反射部４は、図２（Ａ）（Ｂ）に示すように、フレーム５の内側に露出する平面視が正方形状の装飾板４１と、この装飾板４１の周縁から前方に向けて立設された立設部４２と、立設部４２から壁面Ｆに向けて折れ曲がる枠状部４３と、を備え、平面視がベース２の底板部２１と略同一形状の正方形状に形成されている。
【００３０】
この装飾板４１は、各光源部３Ａ、３Ｂから放射された光を拡散反射可能に構成されているとともに、各光源部３Ａ、３Ｂからの光を前方に反射させるものである。また、装飾板４１には、適宜な位置に複数の反射面４Ａ、４Ｂ、４Ｃ、４Ｄ（勾配面）が設けられている。これら複数の反射面（第１反射面４Ａ、第２反射面４Ｂ、第３反射面４Ｃ、第４反射面４Ｄ）は、装飾板４１に明暗差を生じさせるために形成されている。
【００３１】
装飾板４１には、図２（Ｂ）に示すように、一対の光源部３Ａ、３Ｂが対向する方向（矢印Ｘ方向）の断面において、複数の稜線（第１稜線Ｒ１、第２稜線Ｒ２、第３稜線Ｒ３）と、これらの稜線Ｒ１、Ｒ２、Ｒ３それぞれに連続される第１反射面４Ａ、第２反射面４Ｂ、第３反射面４Ｃ、第４反射面４Ｄと、が設けられている。
【００３２】
第１、第２、第３稜線Ｒ１、Ｒ２、Ｒ３は、それぞれ、図２（Ａ）（Ｂ）に示すように、装飾板４１の壁面Ｆとは反対側の面に形成されているとともに、その頂部が曲線状に連続形成されている。第１、第２、第３稜線Ｒ１、Ｒ２、Ｒ３は、装飾板４１の矢印Ｘ方向の他方側の一つの角部Ｃ側を中心とした円弧状に形成されているとともに、第１稜線Ｒ１は、角部Ｃから最も離れた位置に形成され、第３稜線Ｒ３は、角部Ｃに最も近い位置に形成され、第２稜線Ｒ２は、第１稜線Ｒ１と第３稜線Ｒ３との間に形成されている。これらの稜線Ｒ１、Ｒ２、Ｒ３は、第１稜線Ｒ１が最も小さい曲率の円弧と成るように形成され、第３稜線Ｒ３が最も大きい曲率の円弧と成るように形成され、第２稜線Ｒ２は、その曲率が第１稜線Ｒ１よりも大きく第３稜線Ｒ３よりも小さい円弧と成るように形成されている。
【００３３】
このような第１稜線Ｒ１及び第２稜線Ｒ２は、図２（Ｂ）に示すように、矢印Ｘ方向の断面において、矢印Ｙ方向の何れの位置においても、第２稜線Ｒ２が第１稜線Ｒ１よりも高い位置（壁面Ｆから大きく離隔した高さ位置）になるように形成されている。即ち、第２稜線Ｒ２は、第１稜線Ｒ１よりも、壁面Ｆから離隔した位置になるように設けられている。
【００３４】
第１反射面４Ａは、第１稜線Ｒ１よりも矢印Ｘ方向の一方側に位置し、第２反射面４Ｂは、第１稜線Ｒ１と第２稜線Ｒ２との間に位置し、第３反射面４Ｃは、第２稜線Ｒ２と第３稜線Ｒ３との間に位置し、第４反射面４Ｄは、第３稜線Ｒ３よりも矢印Ｘ方向の他方側に位置している。また、第１、第２反射面４Ａ、４Ｂは、第１光源部３Ａから放射された光を前方（矢印Ｚ方向）に向けて反射するように構成され、第３、第４反射面４Ｃ、４Ｄは、第２光源部３Ｂから放射された光を前方（矢印Ｚ方向）に向けて反射するように構成されている。
【００３５】
第１反射面４Ａは、第１稜線Ｒ１に近付くに従って壁面Ｆに対する勾配が急勾配になるような曲面から構成されている。また、第２反射面４Ｂは、第２稜線Ｒ２に近付くに従って壁面Ｆに対する勾配が急勾配になるような曲面から構成されている。第３反射面４Ｃは、壁面Ｆに対する勾配が、第３反射面４Ｃの第２光源部３Ｂ側に連続される他の面よりも急勾配になるような平面から構成されている。第４反射面４Ｄは、第３稜線Ｒ３に近付くに従って壁面Ｆに対する勾配が急勾配になるような曲面から構成されている。
【００３６】
立設部４２には、第１ミラー３３に反射された光を、第１、第２反射面４Ａ、４Ｂに通過させる第２スリット４２ａが形成されている。
【００３７】
枠状部４３は、反射部４の端縁に設けられているとともに、各光源部３Ａ、３ＢのＬＥＤ３２と対向する面に第１ミラー３３が形成されている。
【００３８】
次に、第１、第２光源部３Ａ、３Ｂから放射される光の進み方について説明する。
【００３９】
第１光源部３Ａから放射された光は、第１ミラー３３（第１反射手段）に反射され、第２スリット４２ａを通過して、第１、第２反射面４Ａ、４Ｂに向かい、当該第１、第２反射面４Ａ、４Ｂそれぞれに反射されて、壁面Ｆから離隔する前方に向けて放射される。ここで、第１反射面４Ａは、第１稜線Ｒ１に近付くに従って壁面Ｆに対する勾配が急勾配となるように形成され、第２反射面４Ｂは、第２稜線Ｒ２に近付くに従って壁面Ｆに対する勾配が急勾配となるように形成されている。このような装飾板４１における第１、第２反射面４Ａ、４Ｂには、他の部分よりも多くの量の光が受光され、よって、多くの量の光が前方に放射される。これにより、装飾板４１における第１、第２反射面４Ａ、４Ｂが他の部分よりも明るいと視認され、装飾板４１に明暗差が生じることとなる。
【００４０】
一方、第２光源部３Ｂから放射された光は、第１ミラー３３（第１反射手段）に反射され、第２スリット４２ａを通過して、第３、第４反射面４Ｃ、４Ｄに向かい、第３、第４反射面４Ｃ、４Ｄそれぞれに反射されて、壁面Ｆから離隔する前方に向けて放射される。こうして、装飾板４１においてより多くの箇所に明暗差が生じることとなる。また、装飾板４１における明暗差のうち、明るいと視認される部分が、稜線Ｒ１、Ｒ２、Ｒ３、Ｒ４に沿って複数箇所に設けられている。このような明暗差により、装飾板４１に奥行き感が演出されることとなる。この明暗差、即ち陰影により、照明器具１に装飾性を付与することができ、当該照明器具１が取り付けられた空間に彩りを与えることができる。
【００４１】
さらに、第１、第２光源部３Ａ、３Ｂから放射された光は、それぞれ、第２ミラー３４に反射されて、第１スリット２２ａを通過して、壁面Ｆを照射する。このように第２ミラー３４により、光源部３Ａ、３Ｂが放射する光を、光源部３の装飾板４１とは反対側の壁面Ｆ（設置面）に向けて放射させることで、壁面Ｆが照射されることとなり、この壁面Ｆを利用した間接照明を構成することができる。こうして、空間内の明るさを確保することができる。
【００４２】
なお、本発明は、前記実施形態に限定されるものではなく、本発明の目的が達成できる他の構成等を含み、以下に示すような変形等も本発明に含まれる。例えば、上述した実施形態では、光源としてＬＥＤが用いられていたが、本発明はこれに限定されるものではなく、有機ＥＬ、白熱球、蛍光灯等の発光体であってもよい。また、上述した実施形態では、照明器具１は、設置面としての壁面Ｆに設置されているが、本発明はこれに限定されるものではなく、設置面としての天井面に設置されていてもよい。また、上述した実施形態の光源部３は、光軸が壁面Ｆに対して直交するように設置されているが、本発明はこれに限定されるものではなく、光源部３は、光軸が壁面Ｆに沿うようにベース２の側板部２２に縦置きされていてもよい。この場合には、光源部３から放射された光は、装飾板４１に向けて直接放射されることとなるから、上述した実施形態の光源部３からの光を装飾板４１に向けて反射させる第１ミラー３３は省略してもよい。
【００４３】
また、上述した実施形態において光源部３は、装飾板４１における矢印Ｘ方向の両端部に一対設けられていたが、本発明はこれに限定されるものではなく、装飾板４１の四周を囲むように形成されていてもよい。この場合には、装飾板は、錘台状に形成されていてもよく、一点の頂部を有する山型形状に形成されていてもよい。また、光源部３は、装飾板４１における矢印Ｘ方向の一端部のみに設けられていてもよい。
【００４４】
また、上述した実施形態では、平面視が正方形状の装飾板４１が設けられていたが、本発明はこれに限定されるものではなく、装飾板は、平面視が三角形状であってもよく、四角形状であってもよく、多角形状であってもよく、円形状であってもよい。また、第１、第２、第４反射面４Ａ、４Ｂ、４Ｄは、稜線Ｒ１、Ｒ２、Ｒ３に近付くに従って壁面Ｆに対する勾配が急勾配になるような曲面から構成されていたが、本発明はこれに限定されるものではなく、第１、第２、第４反射面４Ａ、４Ｂ、４Ｄとしての勾配面は、稜線に近付くに従って壁面Ｆに対する勾配が急勾配になるような複数の平面から構成されていてもよい。
【００４５】
（第２実施形態）
続いて、第２実施形態にかかる照明器具１Ａについて、図３（Ａ）（Ｂ）を参照して説明する。図３（Ａ）は、本発明の第２実施形態にかかる照明器具１Ａを模式的に示す斜視図であり、（Ｂ）は、（Ａ）を上方から見た平面図である。なお、図３において、上述した実施形態と同一構成乃至同一機能を有する部分には、同一符号を付して説明を省略する。第２実施形態の照明器具１Ａと、第１実施形態の照明器具１とは、装飾板の構成が異なる。
【００４６】
装飾板４１Ａには、図３（Ａ）（Ｂ）に示すように、一対の光源部３Ａ、３Ｂが対向する方向（矢印Ｘ方向）の断面において、装飾板４１Ａの中心を通る直線状に構成された稜線Ｒ４と、この稜線Ｒ４に連続される一対の反射面１４Ａ、１４Ｂと、が設けられている。稜線Ｒ４は、装飾板４１Ａの矢印Ｙ方向の全長に連続形成されている。
【００４７】
反射面１４Ａは、稜線Ｒ４よりも矢印Ｘ方向の一方側に位置し、反射面１４Ｂは、稜線Ｒ４よりも矢印Ｘ方向の他方側に位置するように形成されている。また、各反射面１４Ａ、１４Ｂは、それぞれ、稜線Ｒ４を中心とする左右対称となるように形成されているとともに、装飾板４１Ａにおける矢印Ｘ方向の両端部から稜線Ｒ４まで連続された曲面から構成されている。また、各反射面１４Ａ、１４Ｂは、稜線Ｒ４に近付くに従って壁面Ｆに対する勾配が急勾配になるように形成されている。
【００４８】
次に、各光源部３Ａ、３Ｂから放射される光Ｌ１、Ｌ２の進み方について図３（Ｂ）を参照して説明する。図３（Ｂ）に示すように、各光源部３Ａ、３Ｂから放射された光Ｌ１は、第１ミラー３３に反射されて、第２スリット４２ａを通過して、各反射面１４Ａ、１４Ｂに向かい、当該各反射面１４Ａ、１４Ｂに反射されて、壁面Ｆから離隔する前方に向けて放射される。さらに、第２光源部３Ｂから放射された光Ｌ２は、第２ミラー３４に反射されて、第１スリット２２ａを通過して、壁面Ｆを照射する。
【００４９】
続いて、第２実施形態の変形例にかかる照明器具１Ｂについて、図４（Ａ）（Ｂ）を参照して説明する。図４（Ａ）（Ｂ）は、図３に示された照明器具１Ａの変形例の動作を示す斜視図である。なお、図４（Ａ）（Ｂ）において、上述した実施形態と同一構成乃至同一機能を有する部分には、同一符号を付して説明を省略する。第２実施形態の変形例にかかる照明器具１Ｂと、第２実施形態の照明器具１Ａとは、光源部の構成が異なる。
【００５０】
本実施形態の光源部１３において、基板３１は、図示しない制御部により、隣接する所定数のＬＥＤ３２から構成された複数のブロックを有して構成されている。図示例では、各基板３１に対して４個のブロックＢ１、Ｂ２、Ｂ３、Ｂ４が設けられている。この光源部１３において、任意のブロックＢ１とＢ３、ブロックＢ２とＢ４が同時に点滅するように制御されている。このような光源部１３により、図４（Ａ）（Ｂ）に示すように、照明器具１Ｂの点灯に動きが加わることとなり、癒しや安らぎを有するとともに華やかな空間を創り出すことができる。
【００５１】
このように、本実施形態の光源部１３において、基板３１は、図示しない制御部により、隣接する所定数のＬＥＤ３２から構成された任意のブロックが同時に点滅するように制御されているが、本発明はこれに限定されるものではない。基板３１により、全てのＬＥＤ３２が同時に点滅するように制御されていてもよく、全てのＬＥＤ３２が、個別にランダムに点滅するように制御されていてもよい。
【００５２】
（第３実施形態）
続いて、第３実施形態にかかる照明器具１Ｃについて、図５を参照して説明する。図５は、本発明の第３実施形態にかかる照明器具１Ｃを模式的に示す斜視図である。なお、図５において、上述した実施形態と同一構成乃至同一機能を有する部分には、同一符号を付して説明を省略する。第３実施形態の照明器具１Ｃと、上述した実施形態の照明器具１Ａ、１Ｂとは、装飾板の構成が異なる。
【００５３】
装飾板４１Ｃには、図５に示すように、その矢印Ｘ方向の断面において、装飾板４１Ｃを壁面Ｆとは反対側から見て、Ｓ字状に構成された稜線Ｒ５と、この稜線Ｒ５に連続される一対の反射面１４Ａ、１４Ｂと、が設けられている。
【００５４】
なお、上述した実施形態における装飾板４１、４１Ａは、Ｓ字状などの曲線状又は直線状に形成された稜線Ｒ１〜Ｒ５を有して構成されているが、本発明はこれに限定されるものではなく、装飾板は、幾何学模様等の所望の模様或いは彫刻やオブジェのような像を有して構成されていてもよい。その場合において、頂部とは、勾配面において、設置面から最も離隔した位置に形成された部位のことである。
【００５５】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の照明器具の構成を具備する限り、勿論、本発明の範疇に含まれるものである。
【符号の説明】
【００５６】
１、１Ａ、１Ｂ、１Ｃ    照明器具
３、１３                光源部
４１、４１Ａ、４１Ｃ    装飾板（反射面部）
Ｒ１〜Ｒ５              稜線
３１                    基板
３２                    ＬＥＤ（光源）
３３                    第１ミラー（第１反射手段）
３４                    第２ミラー（第２反射手段）
４Ａ〜４Ｄ、１４Ａ、１４Ｂ    反射面（勾配面）
Ｆ                      壁面（設置面）
【図１】
0006539065.tif 000002
【図２】
0006539065.tif 000003
【図３】
0006539065.tif 000004
【図４】
0006539065.tif 000005
【図５】
0006539065.tif 000006